(57)【要約】【課題】隣接した踏段の間に利用者の靴が挟まった状態で、その踏段が傾斜部から湾曲部に移動する際に、踏段の間に靴が挟まっていることを利用者に知らせることができ、踏段から靴が取り出されることで、踏段の循環移動が停止することを未然に防ぐことができるエスカレータを得る。【解決手段】追従ローラ１を有し、循環移動する踏段２と、踏段２の軌道に沿って設けられた、追従ローラ１が転動する追従レール３と、追従レール３の水平部３ａに対向して設けられた押さえレール４と、追従レール３の湾曲部３ｂに設けられ、追従ローラ１が追従レール３から上方に離間したのを検出する第１の検出手段５とを備え、第１の検出手段５が検出することで、踏段２の循環移動が停止するエスカレータにおいて、追従レール３の湾曲部３ｂであって、第１の検出手段５の反押さえレール４側に設けられた振動レール６を備えている。【選択図】図２
2009234776.tif 000002
【特許請求の範囲】
【請求項１】
回転自在な追従ローラを有し、水平部、傾斜部および前記水平部と前記傾斜部とを繋いだ湾曲部を有した軌道を循環移動する踏段と、
前記軌道に沿って設けられ、前記追従ローラを転動可能に支持した追従レールと、
前記追従レールの水平部に対向して設けられ、前記追従ローラが前記追従レールから上方に離間するのを抑制する押さえレールと、
前記追従レールの湾曲部に設けられ、前記追従ローラが前記追従レールから上方に離間したのを検出する第１の検出手段とを備え、
前記第１の検出手段は、前記追従ローラが前記追従レールから上方に離間したのを検出することで、前記踏段の循環移動が停止するようになっているエスカレータにおいて、
前記追従レールの前記湾曲部であって、前記第１の検出手段の反前記押さえレール側に設けられ、前記追従レールから上方に離間した前記追従ローラが転動することで、前記追従ローラが上下方向に振動する振動レールを備えたことを特徴とするエスカレータ。
【請求項２】
前記振動レールは、前記追従ローラが転動する転動面が波形状に形成されていることを特徴とする請求項１に記載のエスカレータ。
【請求項３】
前記追従レールと前記振動レールとの間には、前記追従ローラが前記振動レールを押圧したのを検出する第２の検出手段が設けられ、
前記第２の検出手段には、前記追従ローラが前記振動レールを押圧したのを前記第２の検出手段が検出したときに、利用者に警報する警報手段が設けられていることを特徴とする請求項１または請求項２に記載のエスカレータ。
【請求項４】
前記第２の検出手段は、一端部が前記振動レールに接続され、他端部が前記振動レールから下方に延びて前記追従レールの下面に対向した作動棒と、前記追従レールの下側に設けられ、前記追従ローラが前記振動レールを押圧することで、前記作動棒の他端部に押圧されるスイッチとを有していることを特徴とする請求項３に記載のエスカレータ。
【発明の詳細な説明】
【技術分野】
【０００１】
この発明は、回転自在な追従ローラを有した循環移動する踏段と、追従ローラを転動可能に支持した追従レールとを備えたエスカレータに関する。
【背景技術】
【０００２】
従来、回転自在な追従ローラを有し、水平部、傾斜部および前記水平部と前記傾斜部とを繋いだ湾曲部を有した軌道を循環移動する踏段とを備えたエスカレータが知られている（例えば、特許文献１参照）。
上記構成に加え、前記軌道に沿って設けられた、前記追従ローラを転動可能に支持した追従レールと、前記追従レールの水平部に対向して設けられ、前記追従ローラが前記レールから上方に離間するのを抑制する押さえレールと、前記追従レールの湾曲部に設けられた、前記追従ローラが前記追従レールから上方に離間したのを検出する検出手段を備えたエスカレータが知られている。
このものの場合、傾斜部に位置した隣接した踏段は階段状になっており、例えば、隣接した踏段の間に利用者の靴が挟まった状態で、その隣接した踏段が上昇して傾斜部から湾曲部に移動することで、隣接した上側の踏段は、靴によって持ち上げられてしまう。
その結果、持ち上げられた踏段の追従ローラは、追従レールから上方に離間するので、検出手段は、追従ローラが追従レールから上方に離間したのを検出して、踏段の循環移動が停止する。
【０００３】
【特許文献１】特開２００１−２４７２８６号公報
【発明の開示】
【発明が解決しようとする課題】
【０００４】
しかしながら、このものの場合、例えば、傾斜部に位置した隣接した踏段の間に利用者の靴が挟まった状態で、その踏段が傾斜部から湾曲部に移動する際に、踏段の間に靴が挟まっていることを利用者に知らせることができないので、踏段の間から靴が取り出されず、踏段の循環移動が停止することを未然に防ぐことができないという問題点があった。
【０００５】
この発明は、上述のような問題点を解決することを課題とするものであって、その目的は、例えば、傾斜部に位置した隣接した踏段の間に利用者の靴が挟まった状態で、その踏段が傾斜部から湾曲部に移動する際に、踏段の間に靴が挟まっていることを利用者に知らせることができ、利用者により踏段の間から靴が取り出されることで、踏段の循環移動が停止することを未然に防ぐことができるエスカレータを提供するものである。
【課題を解決するための手段】
【０００６】
この発明に係るエスカレータは、回転自在な追従ローラを有し、水平部、傾斜部および前記水平部と前記傾斜部とを繋いだ湾曲部を有した軌道を循環移動する踏段と、前記軌道に沿って設けられ、前記追従ローラを転動可能に支持した追従レールと、前記追従レールの水平部に対向して設けられ、前記追従ローラが前記追従レールから上方に離間するのを抑制する押さえレールと、前記追従レールの湾曲部に設けられ、前記追従ローラが前記追従レールから上方に離間したのを検出する第１の検出手段とを備え、前記第１の検出手段は、前記追従ローラが前記追従レールから上方に離間したのを検出することで、前記踏段の循環移動が停止するようになっているエスカレータにおいて、前記追従レールの前記湾曲部であって、前記第１の検出手段の反前記押さえレール側に設けられ、前記追従レールから上方に離間した前記追従ローラが転動することで、前記追従ローラが上下方向に振動する振動レールを備えている。
【発明の効果】
【０００７】
この発明に係るエスカレータによれば、例えば、傾斜部に位置した隣接した踏段の間に利用者の靴が挟まった状態で、その踏段が傾斜部から湾曲部に移動する際に、踏段の追従ローラが振動レールに転動することで、追従ローラとともに踏段が上下方向に振動するので、踏段の間に靴が挟まっていることを利用者に知らせることができ、利用者により踏段の間から靴が取り出されることで、踏段の循環移動が停止することを未然に防ぐことができる。
【発明を実施するための最良の形態】
【０００８】
実施の形態１．
図１はこの実施の形態に係るエスカレータを示す全体構成図、図２（ａ）は図１のエスカレータの上端側の要部を示す側面図、図２（ｂ）は図１のエスカレータの下端側の要部を示す側面図、図３は図２（ａ）の追従ローラ１、追従レール３および第１の検出手段５を示す断面図、図４は図２（ａ）の追従ローラ１、追従レール３、振動レール６および第２の検出手段１０を示す断面図である。
この実施の形態に係るエスカレータは、回転自在な追従ローラ１を有し、水平部、傾斜部および水平部と傾斜部とを繋いだ湾曲部を有した軌道を循環移動する踏段２と、この踏段２の軌道に沿って設けられた、追従ローラ１を転動可能に支持した追従レール３と、この追従レール３の水平部３ａに対向して設けられた、追従ローラ１が追従レール３から上方に離間するのを抑制する押さえレール４とを備えている。
【０００９】
また、このエスカレータは、追従レール３の湾曲部３ｂに設けられた、追従ローラ１が追従レール３から上方に離間したのを検出する第１の検出手段５を備えており、追従ローラ１が追従レール３から上方に離間したのを第１の検出手段５が検出した場合には、踏段２の循環移動が停止するようになっている。
【００１０】
また、このエスカレータは、追従レール３の湾曲部３ｂであって、第１の検出手段５の反押さえレール４側に設けられた振動レール６を備えている。
振動レール６は、追従レール３から上方に離間した追従ローラ１が転動可能になっており、振動レール６の転動面６ａは、曲面からなる波形状に形成されている。
これにより、追従ローラ１が振動レール６に転動することで、追従ローラ１および踏段２は上下方向に振動する。
追従レール３に転動している追従ローラ１と振動レール６との隙間が２ｍｍ程度となるように、振動レール６の位置が設定されている。
なお、振動レール６の転動面６ａは、曲面からなる波形状に限らず、例えば、凹凸形状であってもよい。
【００１１】
第１の検出手段５は、追従レール３の上方であって湾曲部３ｂに対向して設けられた、上下方向に移動可能な作動レール７と、一端部が作動レール７に接続され、他端部が作動レール７から下方に延びて追従レール３の下面に対向するように屈曲されたＬ字形状の第１の作動棒８と、追従レール３の下側に設けられた、第１の作動棒８に押圧される第１のスイッチ９とを有している。
追従ローラ１が作動レール７を押圧することで、作動レール７とともに第１の作動棒８が上方に移動して、第１の作動棒８が第１のスイッチ９を押圧する。
第１のスイッチ９が押圧されることで、踏段２の循環移動を制御する制御部（図示せず）によって、踏段２の循環移動が停止する。
なお、踏段２の進行方向に沿った第１の検出手段５の作動レール７の寸法は、従来のものより短く設定されており、作動レール７を短くすることによってできた空間に、振動レール６が配置されている。
【００１２】
追従レール３と振動レール６との間には、追従ローラ１が振動レール６を押圧したのを検出する第２の検出手段１０が設けられている。
この第２の検出手段１０は、一端部が振動レール６に接続され、他端部が振動レール６から下方に延びて追従レール３の下面に対向するように屈曲されたＬ字形状の第２の作動棒１１と、追従レール３の下側に設けられた、第２の作動棒１１に押圧される第２のスイッチ１２とを有している。
追従ローラ１が振動レール６を押圧することで、振動レール６とともに第２の作動棒１１が上方に移動して、第２の作動棒１１が第２のスイッチ１２を押圧する。
【００１３】
第２のスイッチ１２には、ライト（図示せず）およびブザー（図示せず）を有した、利用者に警報する警報装置（図示せず）が接続されており、第２のスイッチ１２が押圧されることで、警報装置は作動して利用者に警報する。
【００１４】
次に、傾斜部に位置した隣接した踏段２の間に利用者の靴が挟まった状態で、その踏段２が傾斜部から湾曲部に移動するときの様子について説明する。
傾斜部に位置した隣接した踏段２の間に利用者の靴が挟まった状態で、その踏段２が傾斜部から湾曲部に移動することで、追従ローラ１は追従レール３の傾斜部３ｃから湾曲部３ｂに移動し、その靴によって踏段２が持ち上げられて、追従ローラ１は追従レール３から上方に離間する。
追従ローラ１は、追従レール３から上方に離間することで、振動レール６を押圧し、振動レール６の転動面６ａに転動する。
追従ローラ１が波形状の転動面６ａに転動することで、追従ローラ１とともに踏段２が上下方向に振動する。
これにより、隣接した踏段２の間に靴が挟まっていることを利用者に知らせることができる。
このとき、追従ローラ１が振動レール６を押圧するので、第２の作動棒１１が第２のスイッチ１２を押圧して、警報装置が作動して利用者に警報する。
【００１５】
以上説明したように、この実施の形態に係るエスカレータによれば、例えば、傾斜部に位置した隣接した踏段２の間に利用者の靴が挟まった状態で、その踏段２が傾斜部から湾曲部に移動する際に、追従ローラ１が振動レール６に転動することで、踏段２が上下方向に振動するので、踏段２の間に靴が挟まっていることを利用者に知らせることができ、利用者により踏段２から靴が取り出されることで、踏段２の循環移動が停止することを未然に防ぐことができる。
【００１６】
また、振動レール６は、追従ローラ１が転動する転動面６ａが波形状に形成されているので、踏段２は、上下方向にスムーズに振動することができる。
【００１７】
また、追従レール３と振動レール６との間には、追従ローラ１が振動レール６を押圧したのを検出する第２の検出手段１０が設けられ、この第２の検出手段１０には、追従ローラ１が振動レール６を押圧したのを第２の検出手段１０が検出したときに、利用者に警報する警報装置が設けられているので、踏段２の間に利用者の靴が挟まっていることを利用者にさらに確実に知らせることができる。
【００１８】
また、第２の検出手段１０は、一端部が振動レール６に接続され、他端部が振動レール６から下方に延びて追従レール３の下面に対向した第２の作動棒１１と、追従レール３の下側に設けられ、追従ローラ１が振動レール６を押圧することで、第２の作動棒１１の他端部に押圧される第２のスイッチ１２とを有しているので、簡単な構成で、追従ローラ１が振動レール６を押圧したのを検出することができる。
【図面の簡単な説明】
【００１９】
【図１】この発明の実施の形態１に係るエスカレータを示す全体図である。
【図２】図２（ａ）は図１のエスカレータの上端側の要部を示す側面図、図２（ｂ）は図１のエスカレータの下端側の要部を示す側面図である。
【図３】図２（ａ）の追従ローラ、追従レールおよび第１の検出手段を示す断面図である。
【図４】図２（ａ）の追従ローラ、追従レール、振動レールおよび第２の検出手段を示す断面図である。
【符号の説明】
【００２０】
１  追従ローラ、２  踏段、３  追従レール、３ａ  水平部、３ｂ  湾曲部、３ｃ  傾斜部、４  押さえレール、５  第１の検出手段、６  振動レール、６ａ  転動面、７  作動レール、８  第１の作動棒、９  第１のスイッチ、１０  第２の検出手段、１１  第２の作動棒、１２  第２のスイッチ。
【図１】
2009234776.tif 000003
【図２】
2009234776.tif 000004
【図３】
2009234776.tif 000005
【図４】
2009234776.tif 000006